(57)【要約】  本発明は、電磁放射源として設計されている少なくとも１個のオプトエレクトロニクス部品と、このオプトエレクトロニクス部品が上に配置されている支持部と、支持部の上に配置されておりフレームの形で部品領域を囲んでいる反射器であって、部品領域内にオプトエレクトロニクス部品が配置されている反射器とを有するコンポーネントに関する。本コンポーネントは、フレームの上に配置されており部品領域の開口部を少なくとも部分的に覆っているレンズをさらに備えている。レンズは、オプトエレクトロニクス部品の電磁放射を進路変更させるように設計されており、オプトエレクトロニクス部品に面する第１の側の面に、少なくとも１つの部分的な角錐形状を有し、レンズの部分的な角錐形状は側面を有する。側面は、稜線部を介して互いに隣接しており、少なくとも台形の面として設計されている。【選択図】図９
2019536262.tif 000002
【特許請求の範囲】
【請求項１】
少なくとも１個のオプトエレクトロニクス部品（４）を有するコンポーネント（１）であって、
前記オプトエレクトロニクス部品（４）が、キャリア（３）を有する電磁放射源として構成され、前記キャリア（３）の上に配置されており、
フレーム（２）が、前記キャリア（３）の上に配置されており、かつ、部品空間（５）を囲んでおり、
前記オプトエレクトロニクス部品（４）が、前記部品空間（５）内に配置されており、
前記フレーム（２）が、反射器（７）を備えており、
レンズ（１８）が、前記フレーム（２）の上に配置されており、かつ、前記部品空間（５）の開口部（６）を少なくとも部分的に覆っており、
前記反射器（７）が、前記オプトエレクトロニクス部品（４）の電磁放射を前記レンズ（１８）に方向付けるように構成されており、
前記レンズ（１８）が、前記オプトエレクトロニクス部品（４）の前記電磁放射を方向付けるように構成されており、
前記レンズ（１８）が、前記オプトエレクトロニクス部品（４）の方に面する第１の側の面（１７）に、少なくとも部分的な角錐形状を備えており、
前記レンズ（１８）の前記部分的な角錐形状が、側面（２１，２２，２３，２４）を備えており、
前記側面（２１，２２，２３，２４）が稜線部（２９，３０，３１，３２）を介して互いに接している、
コンポーネント（１）。
【請求項２】
前記第１の側の面（１７）が、角錐台の形状に構成されており、
前記角錐台が、台形の側面（２１，２２，２３，２４）および上面（３７）を備える、
請求項１に記載のコンポーネント（１）。
【請求項３】
前記上面（３７）が、曲面として、特に、凸面として構成されている、
請求項２に記載のコンポーネント（１）。
【請求項４】
前記レンズ（１８）の前記第１の側の面（１７）が、角錐形状を備えている、
請求項１に記載のコンポーネント（１）。
【請求項５】
前記側面（２１，２２，２３，２４）の少なくとも１つ、特に、すべての側面（２１，２２，２３，２４）が、少なくとも一方向の一部分において曲面として構成されている、
請求項１〜４のいずれか１項に記載のコンポーネント（１）。
【請求項６】
前記曲面が、前記部分的な角錐形状または角錐形状の稜線部（２９，３０，３１，３２）に平行な断面において存在している、
および／または、
前記曲面が、前記部分的な角錐形状または角錐形状の仮想の底面に平行な、側面を切断した断面において存在している、
請求項５に記載のコンポーネント（１）。
【請求項７】
前記反射器（７）が、前記フレーム（２）のフレーム内面（７）として構成されており、
前記フレーム内面（７）が、前記部品空間（５）の横方向の周囲境界を画成しており、
少なくとも前記フレーム内面（７）が、前記オプトエレクトロニクス部品（４）の前記電磁放射に対する反射面として構成されている、
請求項１〜６のいずれか１項に記載のコンポーネント（１）。
【請求項８】
前記フレーム内面（７）が、前記キャリア（３）の表面に垂直な断面において、前記レンズ（１８）に向かう方向において外側に傾いている面を備える、
請求項７に記載のコンポーネント（１）。
【請求項９】
前記フレーム内面（７）が、前記キャリア（３）の表面に垂直な断面において、前記キャリア（３）に面している下側部分（２６）より前記レンズ（１８）に面している上側部分（２７，２８）において大きい曲率を備える、
請求項７に記載のコンポーネント（１）。
【請求項１０】
前記フレーム内面（７）が、前記キャリア（３）の表面に垂直な断面において、Ｓ字形状を備えている、
請求項７に記載のコンポーネント（１）。
【請求項１１】
前記フレーム内面（７）が、前記キャリア（３）の表面に垂直な断面において、少なくとも１つの部分において凹形状を備えている、
請求項７に記載のコンポーネント（１）。
【請求項１２】
前記フレーム内面（７）が、前記キャリア（３）の表面に垂直な断面において、前記キャリア（３）を起点とする第１の部分（２６）において直立した部分を有し、
前記直立した部分が、前記キャリア（３）の上面に本質的に垂直な向きにあり、
前記直立した部分（２６）が、特に前記オプトエレクトロニクス部品（４）の上面（３３）より上まで延びている、
請求項７〜１１のいずれか１項に記載のコンポーネント（１）。
【請求項１３】
前記フレーム内面（７）が、前記第１の部分（２６）より前記キャリア（３）からさらに離れている第２の部分（２７）において、前記レンズ（１８）の方向において外側に傾いている面を有する、
請求項１２に記載のコンポーネント（１）。
【請求項１４】
前記フレーム内面（７）が、前記キャリア（３）の表面に垂直な断面において、前記第１の部分（２６）より前記キャリア（３）からさらに離れている第２の部分（２７）において、少なくとも一部分においてＳ字形状を有する、
請求項１２または１３に記載のコンポーネント（１）。
【請求項１５】
前記フレーム（２）が、４つのフレームセクション（９，１０，１１，１２）から形成されており、
各場合において、２つのフレームセクション（９，１０，１１，１２）が角部領域（１３，１４，１５，１６）において互いに接しており、
前記第１の側の面（１７）が、側面（２１，２２，２３，２４）および前記側面（２１，２２，２３，２４）の間の稜線部（２９，３０，３１，３２）を有する少なくとも前記部分的な角錐形状、を備えており、
前記フレーム（２）が備えている角部領域（１３，１４，１５，１６）の数と同じ数の前記稜線部（２９，３０，３１，３２）および側面が形成されており、
前記稜線部（２９，３０，３１，３２）それぞれが、前記フレーム（２）の角部領域（１３，１４，１５，１６）の方向に向いている、
請求項１〜１４のいずれか１項に記載のコンポーネント（１）。
【請求項１６】
前記レンズ（１８）が、前記オプトエレクトロニクス部品（４）の上面（３３）と前記部品空間（５）の上端部との間の距離の最大で１／３だけ前記部品空間（５）内に延びており、
前記レンズ（１８）が、特に、前記オプトエレクトロニクス部品（４）の上面（３３）と前記部品空間（５）の上端部との間の距離の１／３より大きく前記部品空間（５）内に延びており、
前記レンズ（１８）が、特に、前記オプトエレクトロニクス部品（４）の上面（３３）と前記部品空間（５）の上端部との間の距離の最大で１／２だけ前記部品空間（５）内に延びている、
請求項１〜１５のいずれか１項に記載のコンポーネント（１）。
【請求項１７】
前記レンズ（１８）が、前記オプトエレクトロニクス部品（４）の上面（３３）と前記部品空間（５）の上端部との間の距離の１／２より大きく前記部品空間（５）内に延びており、
前記レンズ（１８）が、前記オプトエレクトロニクス部品（４）の上面と前記部品空間（５）の上端部との間の距離の最大で３／４だけ前記部品空間（５）内に延びている、
請求項１〜１５のいずれか１項に記載のコンポーネント（１）。
【請求項１８】
前記レンズ（１８）の前記第１の側の面（１７）の前記部分的な角錐形状の底面（１９）が、前記フレーム（２）の前記開口部（６）の少なくとも５０％、特に、７０％以上、を覆っている、
請求項１〜１７のいずれか１項に記載のコンポーネント（１）。
【請求項１９】
前記レンズ（１８）が、第２の側の面（３４）を備えており、
前記第２の側の面（３４）が、前記第１の側の面（１７）の反対側に形成されており、
前記第２の側の面（３４）が、前記電磁放射を導くための導光構造を備えている、
請求項１〜１８のいずれか１項に記載のコンポーネント（１）。
【請求項２０】
少なくとも１個のオプトエレクトロニクス部品を有するコンポーネントを製造する方法であって、
前記オプトエレクトロニクス部品が、キャリアを有する電磁放射源として構成され、前記キャリアの上に配置され、
反射器を備えるフレームが、前記キャリアの上に、前記オプトエレクトロニクス部品が配置される部品空間を囲んで、配置され、
前記部品空間の開口部を少なくとも部分的に覆うレンズが、前記フレームの上に配置され、
前記反射器が、前記オプトエレクトロニクス部品の電磁放射を前記レンズに方向付けるように構成されており、
前記レンズが、前記オプトエレクトロニクス部品の前記電磁放射を方向付けるように構成されており、
前記レンズが、前記オプトエレクトロニクス部品の方に面する第１の側の面に、少なくとも部分的な角錐形状を有し、
前記レンズの前記部分的な角錐形状が、側面を備えており、
前記側面が、稜線部を介して互いに接する、
コンポーネントを製造する方法。
【発明の詳細な説明】
【技術分野】
【０００１】
本発明は、オプトエレクトロニクス部品を有するコンポーネントに関する。本発明は、コンポーネントを製造する方法にさらに関する。
【背景技術】
【０００２】
特許文献１には、キャリアおよびオプトエレクトロニクス部品を有するコンポーネントが開示されている。この部品は、電磁放射を生成する目的で構成されている。部品はキャリアの上に配置されている。さらにキャリアの上にはレンズハウジングが配置されており、レンズハウジングは、下側に部品空間を備えている。部品は部品空間内に配置されている。レンズハウジングの第１の側の面（部品の上方に配置されている）は、角錐形状を有する。レンズハウジングによって、レンズハウジングにおける内部全反射（ＴＩＲ）を利用して放射が方向付けられる。
【先行技術文献】
【特許文献】
【０００３】
【特許文献１】米国特許第８，８３５，９６８号明細書
【発明の概要】
【発明が解決しようとする課題】
【０００４】
本発明の目的は、改良されたコンポーネントと、コンポーネントを製造する改良された方法とを提供することである。
【課題を解決するための手段】
【０００５】
本発明の目的は、独立特許請求項によって達成される。
【０００６】
少なくとも１個のオプトエレクトロニクス部品を有するコンポーネントであって、オプトエレクトロニクス部品が、キャリアを有する電磁放射源として構成されており、フレームを有するキャリアの上に配置されており、フレームが、キャリアの上に配置されており、かつ部品空間を囲んでおり、オプトエレクトロニクス部品が、レンズを有する部品空間内に配置されており、レンズが、フレームの上に配置されており、かつ部品空間の開口部を少なくとも部分的に覆っており、反射器が、オプトエレクトロニクス部品の放射をレンズに方向付ける目的で構成されており、レンズが、オプトエレクトロニクス部品の電磁放射を方向付ける目的で構成されており、レンズが、オプトエレクトロニクス部品の方に面する第１の側の面に、少なくとも部分的な角錐形状を備えており、レンズの部分的な角錐形状が側面を備えており、側面が稜線部を介して互いに接しているコンポーネントを提案する。この場合、側面を、特に、少なくとも台形の面として構成することができる。
【０００７】
部分的な角錐形状は、三角形、四角形または多角形の底面を有することができる。さらに、底面の形状に従って、３つ、４つまたはそれより多くの側面が設けられている。
【０００８】
記載されているコンポーネントの１つの利点として、本コンポーネントは簡単かつ経済的に製造することができる。さらに、本コンポーネントの構造は、より柔軟に、より個別に構成することができ、なぜなら反射器がレンズとは独立して形成されているためである。したがって本コンポーネントは、反射器に使用される材料に関してと、レンズに使用される材料に関し、両方について最適化することができる。さらに、本コンポーネントは、反射器の形状に関してと、レンズの形状に関して、互いに独立して最適化することができる。さらには、提案するコンポーネントを用いて、低いコンポーネント高さを達成することができる。提案するコンポーネントでは、特に、回転非対称の放射面を備えている用途において、レンズにおける反射損失が減少する。このことは、例えば、正方形、長方形、または多角形の放射面の場合に有利である。使用されるレンズは、ＴＩＲレンズと比較して、製造がより簡単である。
【０００９】
例えば、画像または動画（film）を記録するためのカメラは、画像を記録するための長方形のセンサ形状を有する光学系を有する。この場合のセンサは、例えば４：３または１６：９の辺長比を有する長方形の記録領域（recording field）を備えている。提案するコンポーネントを使用すると、記録される画像を長方形領域において効率的に照らすことができる。
【００１０】
一実施形態においては、第１の側の面は、角錐台の形状に構成されており、角錐台は、台形の側面と上面とを備えている。第１の側の面のこの形状を使用すると、特に低い高さのコンポーネントを得ることができ、導光（light guiding）が良好である。
【００１１】
角錐台としての第１の側の面の一実施形態においては、上面は、平面として構成されている。このようにして、本コンポーネントは簡単に製造することができ、良好な導光特性が得られる。
【００１２】
一実施形態においては、上面は、曲面として（特に凸面として）構成されている。このようにして、導光の改良と同時に、低いコンポーネント高さを達成することができる。
【００１３】
一実施形態においては、レンズの第１の側の面は、角錐形状を備えている。この実施形態を使用すると、良好な導光が達成される。
【００１４】
一実施形態においては、側面の少なくとも１つ（特に、すべての側面）が、少なくとも一方向の一部分において曲面として構成されている。このようにして、導光のさらなる改良を達成することができる。
【００１５】
一実施形態においては、反射器は、フレーム内面を備えており、フレーム内面は、部品空間の横方向の周囲境界を画成しており、少なくともフレーム内面は、オプトエレクトロニクス部品の放射に対する反射面として構成されている。これによって、発光出力（emission power）の損失が低減される。
【００１６】
一実施形態においては、フレーム内面は、キャリアの表面に垂直な断面において、レンズに向かう方向において外側に傾いている面を備えている。このようにして、反射器の単純な形状を使用して良好な放出が得られる。
【００１７】
一実施形態においては、フレーム内面は、キャリアの表面に垂直な断面において、キャリアに面している下側部分よりレンズに面している上側部分において大きい曲率を備えている。反射器のこの形状を使用すると、低いコンポーネント高さとともに、改良された放出が可能になる。
【００１８】
一実施形態においては、フレーム内面は、キャリアの表面に垂直な断面において、Ｓ字形状を備えている。反射器のこの形状を使用すると、低いコンポーネント高さとともに、放出のさらなる改良が可能になる。
【００１９】
一実施形態においては、フレーム内面は、キャリアの表面に垂直な断面において、少なくとも１つの部分において凹形状を備えている。
【００２０】
一実施形態においては、フレーム内面は、キャリアの表面に垂直な断面において、キャリアを起点とする第１の部分において直立した部分を備えており、直立した部分は、キャリアの上面に本質的に垂直な向きにある。このようにして、反射器は単純な形状を備えている。
【００２１】
一実施形態においては、直立した部分は、オプトエレクトロニクス部品の上面より上まで延びている。したがって、この単純な形状は低い放射領域に限定されている。
【００２２】
一実施形態においては、フレーム内面は、第１の部分よりキャリアからさらに離れている第２の部分において、レンズの方向において外側に傾いている面、を備えている。
【００２３】
一実施形態においては、フレーム内面は、第１の部分よりキャリアからさらに離れている第２の部分において、少なくとも一部分においてＳ字形状を備えている。
【００２４】
一実施形態においては、フレームは、４つのフレームセクションから形成されており、各場合において、２つのフレームセクションが角部領域において互いに接しており、第１の側の面が、側面および側面の間の稜線部を有する少なくとも部分的な角錐形状を備えており、フレームが備えている角部領域の数と同じ数の稜線部が側面の間に形成されており、稜線部それぞれがフレームの角部領域の方向に向いている。このようにして、電磁放射の均一な分布が達成される。
【００２５】
一実施形態においては、レンズは、オプトエレクトロニクス部品の上面と部品空間の上端部との間の距離の最大で１／３だけ部品空間内に延びている。
【００２６】
一実施形態においては、レンズは、オプトエレクトロニクス部品の上面と部品空間の上端部との間の距離の１／３より大きく部品空間内に延びており、レンズは、オプトエレクトロニクス部品の上面と部品空間の上端部との間の距離の最大で１／２だけ部品空間内に延びている。
【００２７】
一実施形態においては、レンズは、オプトエレクトロニクス部品の上面と部品空間の上端部との間の距離の１／２より大きく部品空間内に延びており、レンズは、オプトエレクトロニクス部品の上面と部品空間の上端部との間の距離の最大で３／４だけ部品空間内に延びている。
【００２８】
この実施形態を使用すると、電磁放射の望ましい分布が、低いコンポーネント高さとともに得られる。
【００２９】
一実施形態においては、部分的な角錐形状は、レンズの第１の側の面の部分的な角錐形状の底面がフレームの開口部の少なくとも５０％、特に７０％以上を覆うように構成されている。第１の側の面によって覆われている開口部の面積が大きいほど、レンズによる導光が良好である。
【００３０】
一実施形態においては、レンズは第２の側の面を備えており、第２の側の面は第１の側の面の反対側に形成されており、第２の側の面は、放射を導くための導光構造（guiding structure）を備えている。導光構造を用いて、放射の望ましいガイドを改良することができる。
【００３１】
少なくとも１個のオプトエレクトロニクス部品を有するコンポーネントを製造する方法であって、オプトエレクトロニクス部品が、キャリアを有する電磁放射源として構成されており、キャリアの上に配置されており、キャリアの上にフレームが配置されており、フレームが部品空間を囲んでおり、オプトエレクトロニクス部品が部品空間内に配置されており、レンズが、フレームの上に配置されており、かつ部品空間の開口部を少なくとも部分的に覆っており、反射器が、オプトエレクトロニクス部品の放射をレンズに方向付ける目的で構成されており、レンズが、オプトエレクトロニクス部品の電磁放射を方向付ける目的で構成されており、レンズが、オプトエレクトロニクス部品の方に面する第１の側の面に、少なくとも部分的な角錐形状を備えており、レンズの部分的な角錐形状が側面を備えており、側面が稜線部を介して互いに接する方法を提案する。この場合、側面を、特に、少なくとも台形の面として構成することができる。
【００３２】
記載されている方法の１つの利点として、コンポーネントを簡単かつ経済的に製造することができる。さらに、本方法は、コンポーネントの構造をより柔軟に、より個別に構成することを可能にし、なぜなら反射器がレンズとは独立して形成されるためである。したがって本コンポーネントは、反射器に使用される材料に関してと、レンズに使用される材料に関し、両方について最適化することができる。さらに、本コンポーネントは、反射器の形状に関してと、レンズの形状に関して、互いに独立して最適化することができる。
【００３３】
上に説明されている本発明の特性、特徴、および利点と、これらを達成する方法は、例示的な実施形態（図面を参照しながらさらに詳しく説明する）の以下の説明に関連してさらに明確になり、容易に理解されるであろう。
【図面の簡単な説明】
【００３４】
【図１】反射器およびオプトエレクトロニクス部品を有するキャリアの斜視図を示している。
【図２】レンズの平面図を示している。
【図３】キャリア、反射器、オプトエレクトロニクス部品、およびレンズを有するコンポーネントの断面図を示している。
【図４】図３のコンポーネントの、上からの概略図を示している。
【図５】さらなる反射器およびオプトエレクトロニクス部品を有するキャリアの斜視図を示している。
【図６】レンズの断面図を示している。
【図７】レンズを有するさらなるコンポーネントの断面図を示している。
【図８】図７のコンポーネントの概略平面図を示している。
【図９】図７のコンポーネントの、ｘ方向における断面図を示している。
【図１０】図７のコンポーネントの、ｙ方向における断面図を示している。
【図１１】図６のレンズの斜視図を示している。
【図１２】図１１のレンズの平面図を示している。
【図１３】レンズのさらなる実施形態の概略図を示している。
【図１４】角錐台の形状における、側面を有するレンズの概略図を示している。
【図１５】角錐台の上面の、ｘ方向における断面を示している。
【図１６】角錐台の上面の、ｙ方向における断面を示している。
【図１７】湾曲した側面を有するレンズの、第１の側の面で切断した断面を示している。
【発明を実施するための形態】
【００３５】
図１は、正方形板の形状に構成されているキャリア３を、概略斜視図で示している。キャリア３は、ｘ−ｙ平面に配置されている。キャリア３の上に周囲フレーム２が配置されている。フレーム２は、４つの面において部品空間５を囲んでいる。部品空間５内には、部品４がキャリア３の上に配置されている。部品４は、電磁放射（特に可視光）を放出することのできるオプトエレクトロニクス部品として構成されている。オプトエレクトロニクス部品４は、例えば、レーザダイオードとして、または発光ダイオードとして、構成されている。周囲フレーム２は、部品空間５を囲んでおり、キャリア３とは反対側に配置されているフレーム開口部６を有する。フレーム２は、例えば、成形材料（例えばエポキシ樹脂またはプラスチック、金属（特にアルミニウム））から形成されている。
【００３６】
オプトエレクトロニクス部品４は、半導体チップとして構成することができる。描写した実施形態においては、オプトエレクトロニクス部品４は正方形形状である。周囲フレーム２は、部品空間５の横方向の周囲境界を画成しているフレーム内面７を備えている。少なくともフレーム内面７は、オプトエレクトロニクス部品４の放射に対する反射面を有する反射器として構成されている。選択される実施形態によっては、フレーム２全体を反射器として構成してもよい。反射器は、例えば金属面（特に、研磨された金属面）によって実施することができる。フレーム内面７は、キャリア３から上方に周囲フレーム２の上側領域８まで延びている。上側領域８は、キャリア３とは反対側において周囲フレーム２の上に配置されている。
【００３７】
描写した例示的な実施形態においては、周囲フレーム２は、４つのフレームセクション９，１０，１１，１２を備えている。これらのフレームセクションは、それぞれ、直立したフレームセクション９，１０，１１，１２として構成されており、角部領域１３，１４，１５，１６において互いに併合されている。フレームセクションは、ｘ軸に平行に、またはｙ軸に平行に配置されている（ｘ軸とｙ軸は互いに垂直である）。描写した例示的な実施形態においては、周囲フレーム２は４つの角部領域１３，１４，１５，１６を備えており、これらの角部領域それぞれにおいて、２つのフレームセクション９，１０，１１，１２が９０゜の角度で互いに接している。選択される実施形態によっては、周囲フレーム２は、３つのみのフレームセクション、または５つ以上のフレームセクションを備えていてもよい。さらに、フレームセクションは、それぞれの角部領域において９０゜以外の角度で、互いに接している、または互いに併合されていてもよい。さらには、角部領域に丸みをつけてもよい。
【００３８】
周囲フレーム２のフレームセクション９，１０，１１，１２のフレーム内面７（反射面を備えており反射器に相当する）は、キャリア３の表面に垂直な断面において本質的にＳ字形状を備えている。以下では、反射器の反射面をフレームセクションのフレーム内面７と称する。
【００３９】
図２は、レンズ１８の第１の側の面１７のｙ−ｘ平面における平面図を概略表現で示している。レンズ１８の第１の側の面１７は、角錐形状を有する。描写した例においては、角錐は、正方形の底面１９を有する四角錐として構成されている。さらに、角錐は、底面から所定の高さに配置されている頂点２０を備えている。この四角錐は、４つの側面２１，２２，２３，２４を備えており、これらの側面は三角形に構成されており頂点２０において収束している。稜線部２９，３０，３１，３２が設けられており、これらの稜線部は、第１の側の面１７の側面２１，２２，２３，２４を分けており、頂点２０を起点として底面の角の方向に向いている。角錐形状の底面は正方形に相当するため、４つの側面２１，２２，２３，２４は同一に構成されている。レンズ１８の第１の側の面１７は、周囲縁部２５によって囲まれている。したがってレンズ１８は、角錐形状（縁部２５によって囲まれている）を有する第１の側の面１７を備えている。レンズ１８は、オプトエレクトロニクス部品４の放射に対して透過性を有する材料であって、空気の屈折率より大きい屈折率を有する材料からなる。例えば、レンズ１８は、ガラスもしくはシリコーン、あるいはエポキシ樹脂もしくはプラスチックからなることができる。オプトエレクトロニクス部品４の放射は、可視光および／または赤外光を含むことができる。
【００４０】
用語「レンズ」は、屈折および／または反射によって放射のガイドまたは放射の方向付けをもたらす光学的に透過性を有する素子を意味する。この場合、この光学素子は、備えている必要はないが結像機能を備えていることがある。したがって、用語「レンズ」は、光学的に結像する素子に限定されない。
【００４１】
図３は、コンポーネント１の、ｘ−ｚ平面における概略断面図を示している。コンポーネント１は、図１に従って、キャリア３、フレーム２、およびオプトエレクトロニクス部品４を備えている。図２のレンズ１８は、部品空間５の開口部６の上に配置されている。この場合、角錐形状を有する第１の側の面１７が、部品空間５内に突き出している。レンズ１８は、その縁部２５によって周囲フレーム２の上側領域８の上に配置されている。描写した断面図は、第１の側の面１７の角錐形状の第１の側面２１および第３の側面２３を通過している。さらにこの断面図は、第１のフレームセクション９および第３のフレームセクション１１を貫通している。角錐形状の頂点２０は、縁部２５を起点とする所定の高さＨだけ部品空間５内に突き出している。フレームセクション９，１０，１１，１２のフレーム内面７（反射器を形成している）は、この例では同一に構成されている。
【００４２】
描写した実施形態においては、描写した断面図におけるフレームセクションのフレーム内面７（反射面を備えている）は、レンズ１８の方向においてキャリア３を起点として外側に傾いている面、を備えている。この場合、フレーム面７の傾斜角度は、キャリア３の上面の平面に関連して、部分ごとに異なって構成してもよい。例えば、下側の第１の部分２６においては、フレーム面７をキャリア３の上面に垂直な向きとすることができる。次の第２の部分２７においては、フレーム面７は、曲率半径を有し、オプトエレクトロニクス部品４から横方向に離れるように外側に傾いて配置されており、凸形状を有する。第３の部分（第２の部分２７から続いており、フレーム２の上側領域８まで達する）においては、フレーム面７は、凹形状を有する。選択される実施形態によっては、フレームセクションのフレーム面７を、外側に傾いた面として構成してもよい。
【００４３】
レンズ１８は、低い角錐形状を有する第１の側の面１７を備えており、角錐の頂点２０とオプトエレクトロニクス部品４の上面３３との間の距離は、部品空間５の高さの１／３未満である。部品空間５の高さとは、キャリア３の上面と周囲フレーム２の上面８との間の距離を表す。選択される実施形態によっては、レンズ１８は、より大きい高さを有する第１の側の面１７を備えていてもよい。したがって頂点２０は、部品空間５内により深く、オプトエレクトロニクス部品４の上面３３と周囲フレーム２の上面８との間の距離の１／３〜１／２の範囲内に位置する領域内に突き出すことができる。
【００４４】
選択される実施形態によっては、オプトエレクトロニクス部品４の電磁放射の追加のビーム整形を達成する目的で、レンズ１８は、第１の側の面１７とは反対側に配置されている第２の側の面３４に、凹部、レンズ、またはマイクロプリズムなどのさらなる導光構造を備えていてもよい。
【００４５】
別の実施形態においては、第１の側の面１７は、さらに大きい高さを有する角錐形状を有してもよく、オプトエレクトロニクス部品４の上面３３とフレーム２の上面８との間の距離の１／２より大きく、特に、最大で３／４だけ、部品空間５内に突き出していることができる。さらに、選択される実施形態によっては、角錐の頂点２０をオプトエレクトロニクス部品４の上面３３のさらに近くに配置してもよく、頂点２０とオプトエレクトロニクス部品４との間の距離は、オプトエレクトロニクス部品４の上面と周囲フレーム２の上面８との間の距離の１／３未満とすることができる。
【００４６】
図４は、図３のコンポーネント１の上からの概略図を示しており、レンズ１８を透過的に描写してある。レンズ１８は、角錐の底面１９の角がフレーム２の角部領域１３，１４，１５，１６の上に配置されるような向きにある。したがって、第１の側の面１７の側面２１，２２，２３，２４を分けている稜線部２９，３０，３１，３２は、周囲フレーム２の角部領域１３，１４，１５，１６の方向に整列している。角錐の底面１９は、開口部６の面積の少なくとも５０％、特に７５％以上が底面１９によって覆われるような大きさに構成されていることが好ましい。例えば底面１９は、開口部６の面積の９０％より大きく、特に９５％より大きく覆うことができる。このようにして、効率的な導光が達成される。
【００４７】
３つの角部領域を有する周囲フレーム２の構造では、角錐形状も、３つの側面および３つの稜線部のみを備えている。この実施形態においても、稜線部、および角錐の底面１９の角は、周囲フレーム２の角部領域の方向に向いている。周囲フレーム２が５つ以上の角部領域を備えている場合、レンズ１８も、５つ以上の角を有する底面１９と、したがって５つ以上の側面および５つ以上の稜線部を有する角錐形状、を有する。この実施形態においても、角錐の底面の角それぞれ、および稜線部それぞれは、周囲フレーム２の角部領域の方向に向いている。
【００４８】
図５は、周囲フレーム２およびオプトエレクトロニクス部品４を有するキャリア３の別の実施形態の斜視図を示している。周囲フレーム２は、４つのフレームセクション９，１０，１１，１２から形成されており、本質的に図１に従って構成されている。しかしながら、フレームセクション９，１０，１１，１２のフレーム面７の形状は、図１の実施形態とは異なる。さらに、第１のフレームセクション９および第３のフレームセクション１１は、第２のフレームセクション１０および第４のフレームセクション１２より長く構成されている。第１のフレームセクション９と第３のフレームセクション１１とは、等しい長さに構成されている。第２のフレームセクション１０と第４のフレームセクション１２とは、等しい長さに構成されている。したがって、４つのフレームセクションを有する周囲フレーム２は、長方形の部品空間５との境界を画成している。
【００４９】
図６は、レンズ１８の別の実施形態を断面図で示しており、このレンズ１８は、第１の側の面１７として、図２のレンズ１８に従った角錐形状を備えている。ただし、頂点２０は、図２における頂点２０よりも底面（すなわち縁部２５）からさらに離れている。さらに、レンズ１８は、長方形の底面を備えている。
【００５０】
図７は、図５に従ってキャリア３およびオプトエレクトロニクス部品４を有する周囲フレーム２と、図６に従ったレンズ１８とを備えたコンポーネント１を示している。レンズ１８は、第１の側の面１７において突き出しており、角錐の頂点２０がオプトエレクトロニクス部品４の上面３３により近い。さらに、第１のフレームセクション９および第３のフレームセクション１１（断面図で描写してある）は、図１および図３の実施形態のフレームセクションとは異なる形状を有する。描写した実施形態においては、フレームセクション９，１１のフレーム面７は、第１の部分２６および第２の部分２７に分割されている。第１の部分２６は、キャリア３の上面に接しており、垂直に構成されている。第１の部分２６は、オプトエレクトロニクス部品４の上面３３より上まで延びている。フレーム面７の第２の部分２７は、第１の部分２６から周囲フレーム２の上面８まで延びている。第２の部分２７は、湾曲した凹面として構成されている。
【００５１】
選択される実施形態によっては、オプトエレクトロニクス部品４の電磁放射の追加のビーム整形を達成する目的で、レンズ１８は、第１の側の面１７とは反対側に配置されている第２の側の面３４に、凹部、レンズ、またはマイクロプリズムなどの導光構造を備えていてもよい。
【００５２】
図８は、図７のコンポーネント１の概略平面図を示しており、長方形のレンズ１８と、フレームセクション９，１０，１１，１２を有する周囲フレーム２とを描写している。第１の側面２１と第３の側面２３とは、等しいサイズである。第２の側面２２と第４の側面２４とは、等しいサイズである。
【００５３】
図９は、図７および図８のコンポーネント１の、ｚ−ｘ平面における断面図を示している。この場合、オプトエレクトロニクス部品４の上面３３から放出される放射の領域（radiation field）を２つの領域３５，３６に分割することができ、これら２つの領域３５，３６は、仮想の分割線３８によって分割されているものとして描写してあることを理解できる。第１の領域３５においては、光線（電磁放射）は、レンズ１８の第１の側の面１７内に直接放出される。第１の領域３５とフレーム２との間に形成されている第２の領域３６においては、電磁放射は、最初にオプトエレクトロニクス部品４の上面３３を起点としてフレーム内面７の方向に放出され、フレーム内面７によって反射されて、レンズ１８の第１の側の面１７の方向に方向付けされる。
【００５４】
図１０は、図７および図８のコンポーネント１の、ｚ−ｙ平面における断面図を示している。部品空間５は、長方形の面を備えており、ｘ方向よりもｙ方向において長く構成されている。同様に、レンズ１８の第１の側の面１７の角錐形状の側面の傾斜角度は、第２の側面２２および第４の側面２４より第１の側面２１および第３の側面２３の方が小さい。この場合にも、オプトエレクトロニクス部品４の上面３３から放出される放射の領域を２つの領域３５，３６に分割することができ、これら２つの領域３５，３６は、仮想の分割線３８によって分割されているものとして描写してある。
【００５５】
図１１は、図６のレンズ１８の第１の側の面１７の平面視を斜視図で示している。第１の側の面１７は、長方形の底面１９を有する角錐形状を有する。第１の側面２１と第３の側面２３、および、第２の側面２２と第４の側面２４は、それぞれ同一に構成されている。しかしながら、第１の側面２１の形状および面積と、第２の側面２２の形状および面積は、異なる。
【００５６】
図１２は、図１１のレンズ１８の第１の側の面１７の平面図を示している。
【００５７】
選択される実施形態によっては、図２または図６のレンズ１８の第１の側の面１７は、図１３に描写したように、５つの角を有する底面２０を有する、したがって５つの側面を有する角錐形状を有してもよい。
【００５８】
さらには、図２のレンズ１８または図６のレンズ１８の第１の側の面１７は、図１４に描写したように、部分的な角錐の形状に（特に角錐台の形状に）構成してもよい。この角錐台は、長方形の底面１９を備えている。この実施形態においては、第１の側の面１７は、４つの側面２１，２２，２３，２４および１つの上面３７を備えている。上面３７は、同様に長方形に構成されている。側面２１，２２，２３，２４は、この実施形態においては台形の面として構成されている。上面３７は、底面１９に平行に配置されている。描写した実施形態においては、底面１９は４つの角を備えており、したがってこの角錐形状は、４つの稜線部２９，３０，３１，３２をさらに備えている。角錐台の底面１９は、開口部６の面積の少なくとも５０％、特に７５％以上が底面１９によって覆われるような大きさに構成されていることが好ましい。例えば底面１９は、開口部６の面積の９０％より大きく、特に９５％より大きく覆うことができる。このようにして、効率的な導光が達成される。
【００５９】
選択される実施形態によっては、図１４に従った角錐台を備えている第１の側の面１７を有し、ただし底面１９が正方形に構成されているレンズ１８を設けてもよい。この実施形態においては、上面３７も正方形に構成される。
【００６０】
さらに、選択される実施形態によっては、角錐台の形状におけるレンズ１８の第１の側の面１７の構造において、上面３７および側面２１，２２，２３，２４の両方が、丸みを帯びた形状（特に凹形状または凸形状）を有してもよい。
【００６１】
図１５は、図１４のレンズ１８の第１の側の面１７の上面３７を通る断面を示しており、この断面はｚ−ｘ平面に配置されている。上面３７はｙ−ｘ平面に配置されている。しかしながら、この選択された実施形態においては、上面３７は、ｘ軸に沿って、ｚ軸における曲がりを備えている。
【００６２】
図１６は、ｚ−ｙ平面における、図１４の上面３７を通る断面を示している。この上面３７も、ｙ軸に沿って、ｚ軸の方向における曲率を備えている。選択される実施形態によっては、ｘ軸に沿った上面３７の曲率半径と、ｙ軸に沿った上面３７の曲率半径を、等しい大きさ、または異なる大きさとすることができる。
【００６３】
同様に、角錐台の形状または角錐の形状の両方における第１の側の面１７の側面は、凸面または凹面として構成することができ、曲率を有することができる。
【００６４】
図１７は、底面１９に平行に配置されている図１４の角錐台の側面２１，２２，２３，２４をｙ−ｘ平面において切断した断面を示している。この場合、側面２１，２２，２３，２４がそれぞれ曲率（すなわちｘ−ｙ平面において外側に湾曲した面）を備えていることを理解することができる。
【００６５】
したがって、角錐台の形状および角錐の形状の両方におけるレンズ１８の第１の側の面１７は、底面１９に平行な平面と、底面１９に垂直な平面の両方において丸みを帯びた面を備えていることができる。これらの側面の曲率（特に凸曲率）は、最大でも、オプトエレクトロニクス部品４の各放出領域からの光線が、第１の側の面１７の側面と縁部２５との間の遷移領域に直接入射できるような大きさに寸法設計されているべきである。
【００６６】
平らな側面２１，２２，２３，２４の傾斜角度は、１゜〜４５゜の範囲内とすることができる。例えば、側面を、底面１９に対して１５゜の角度に向けることができる。オプトエレクトロニクス部品４は、例えば５００μｍ〜１ｍｍの範囲内の長さおよび幅である上面３３を備えていることができる。オプトエレクトロニクス部品４は、１．６ｍｍ程度である高さを有することができる。反射器は、例えば０．８ｍｍ程度である全高を有することができる。
【００６７】
レンズ１８の第１の側の面１７によって反射される光線は、反射されて外側から反射器に入射し、進路変更してコンポーネント１から放出される。さらに、オプトエレクトロニクス部品４によって放出された電磁放射が、反射器（すなわち反射性のフレーム内面７）に直接入射する。フレーム内面７に入射した電磁放射は、第１の側の面１７の方向に反射され、第１の側の面１７によって光学軸の方向に均一に屈折される。
【００６８】
角錐台形状または角錐形状の理由で、反射器を薄く構成することができ、すなわちフレーム内面７が比較的小さい高さを有することができる。このようにして、極めて薄い反射器の設計が可能である。さらに、高いビーム強度と、正方形または長方形の放出形状を有する狭角放出を達成することができる。さらには、提案するコンポーネントの理由で、レンズ構造によって反射された光線がより効率的に使用されることにより、改善された効率が達成される。これによって、光学軸の中に進路変更されない光の比率が減少する。
【００６９】
本特許出願は、独国特許出願第１０２０１６１２２７７０．６号の優先権を主張し、この文書の開示内容は参照により本明細書に組み込まれている。
【符号の説明】
【００７０】
１  コンポーネント
２  周囲フレーム
３  キャリア
４  オプトエレクトロニクス部品
５  部品空間
６  開口部
７  フレーム面
８  上側領域
９  第１のフレームセクション
１０  第２のフレームセクション
１１  第３のフレームセクション
１２  第４のフレームセクション
１３  第１の角部領域
１４  第２の角部領域
１５  第３の角部領域
１６  第４の角部領域
１７  第１の側の面
１８  レンズ
１９  底面
２０  角錐の頂点
２１  第１の側面
２２  第２の側面
２３  第３の側面
２４  第４の側面
２５  縁部
２６  第１の部分
２７  第２の部分
２８  第３の部分
２９  第１の稜線部
３０  第２の稜線部
３１  第３の稜線部
３２  第４の稜線部
３３  オプトエレクトロニクス部品の上面
３４  第２の側の面
３５  第１の領域
３６  第２の領域
３７  上面
３８  分割線
【図１】
2019536262.tif 000003
【図２】
2019536262.tif 000004
【図３】
2019536262.tif 000005
【図４】
2019536262.tif 000006
【図５】
2019536262.tif 000007
【図６】
2019536262.tif 000008
【図７】
2019536262.tif 000009
【図８】
2019536262.tif 000010
【図９】
2019536262.tif 000011
【図１０】
2019536262.tif 000012
【図１１】
2019536262.tif 000013
【図１２】
2019536262.tif 000014
【図１３】
2019536262.tif 000015
【図１４】
2019536262.tif 000016
【図１５】
2019536262.tif 000017
【図１６】
2019536262.tif 000018
【図１７】
2019536262.tif 000019
【手続補正書】
【提出日】令和1年6月18日(2019.6.18)
【手続補正１】
【補正対象書類名】特許請求の範囲
【補正対象項目名】全文
【補正方法】変更
【補正の内容】
【特許請求の範囲】
【請求項１】
少なくとも１個のオプトエレクトロニクス部品（４）を有するコンポーネント（１）であって、
前記オプトエレクトロニクス部品（４）が、キャリア（３）を有する電磁放射源として構成され、前記キャリア（３）の上に配置されており、
フレーム（２）が、前記キャリア（３）の上に配置されており、かつ、部品空間（５）を囲んでおり、
前記オプトエレクトロニクス部品（４）が、前記部品空間（５）内に配置されており、
前記フレーム（２）が、反射器（７）を備えており、
レンズ（１８）が、前記フレーム（２）の上に配置されており、かつ、前記部品空間（５）の開口部（６）を少なくとも部分的に覆っており、
前記反射器（７）が、前記オプトエレクトロニクス部品（４）の電磁放射を前記レンズ（１８）に方向付けるように構成されており、
前記レンズ（１８）が、前記オプトエレクトロニクス部品（４）の前記電磁放射を方向付けるように構成されており、
前記レンズ（１８）が、前記オプトエレクトロニクス部品（４）の方に面する第１の側の面（１７）に、少なくとも部分的な角錐形状を備えており、
前記レンズ（１８）の前記部分的な角錐形状が、側面（２１，２２，２３，２４）を備えており、
前記側面（２１，２２，２３，２４）が稜線部（２９，３０，３１，３２）を介して互いに接している、
コンポーネント（１）。
【請求項２】
前記第１の側の面（１７）が、角錐台の形状に構成されており、
前記角錐台が、台形の側面（２１，２２，２３，２４）および上面（３７）を備える、
請求項１に記載のコンポーネント（１）。
【請求項３】
前記上面（３７）が、曲面として、特に、凸面として構成されている、
請求項２に記載のコンポーネント（１）。
【請求項４】
前記レンズ（１８）の前記第１の側の面（１７）が、角錐形状を備えている、
請求項１に記載のコンポーネント（１）。
【請求項５】
前記側面（２１，２２，２３，２４）の少なくとも１つ、特に、すべての側面（２１，２２，２３，２４）が、少なくとも一方向の一部分において曲面として構成されている、
請求項１〜４のいずれか１項に記載のコンポーネント（１）。
【請求項６】
前記曲面が、前記部分的な角錐形状または角錐形状の稜線部（２９，３０，３１，３２）に平行な断面において存在している、
および／または、
前記曲面が、前記部分的な角錐形状または角錐形状の仮想の底面に平行な、側面を切断した断面において存在している、
請求項５に記載のコンポーネント（１）。
【請求項７】
前記反射器（７）が、前記フレーム（２）のフレーム内面（７）として構成されており、
前記フレーム内面（７）が、前記部品空間（５）の横方向の周囲境界を画成しており、
少なくとも前記フレーム内面（７）が、前記オプトエレクトロニクス部品（４）の前記電磁放射に対する反射面として構成されている、
請求項１〜６のいずれか１項に記載のコンポーネント（１）。
【請求項８】
前記フレーム内面（７）が、前記キャリア（３）の表面に垂直な断面において、前記レンズ（１８）に向かう方向において外側に傾いている面を備える、
請求項７に記載のコンポーネント（１）。
【請求項９】
前記フレーム内面（７）が、前記キャリア（３）の表面に垂直な断面において、前記キャリア（３）に面している下側部分（２６）より前記レンズ（１８）に面している上側部分（２７，２８）において大きい曲率を備える、
請求項７に記載のコンポーネント（１）。
【請求項１０】
前記フレーム内面（７）が、前記キャリア（３）の表面に垂直な断面において、Ｓ字形状を備えている、
請求項７に記載のコンポーネント（１）。
【請求項１１】
前記フレーム内面（７）が、前記キャリア（３）の表面に垂直な断面において、少なくとも１つの部分において凹形状を備えている、
請求項７に記載のコンポーネント（１）。
【請求項１２】
前記フレーム内面（７）が、前記キャリア（３）の表面に垂直な断面において、前記キャリア（３）を起点とする第１の部分（２６）において直立した部分を有し、
前記直立した部分が、前記キャリア（３）の上面に本質的に垂直な向きにあり、
前記直立した部分（２６）が、特に前記オプトエレクトロニクス部品（４）の上面（３３）より上まで延びている、
請求項７〜１１のいずれか１項に記載のコンポーネント（１）。
【請求項１３】
前記フレーム内面（７）が、前記第１の部分（２６）より前記キャリア（３）からさらに離れている第２の部分（２７）において、前記レンズ（１８）の方向において外側に傾いている面を有する、
請求項１２に記載のコンポーネント（１）。
【請求項１４】
前記フレーム内面（７）が、前記キャリア（３）の表面に垂直な断面において、前記第１の部分（２６）より前記キャリア（３）からさらに離れている第２の部分（２７）において、少なくとも一部分においてＳ字形状を有する、
請求項１２または１３に記載のコンポーネント（１）。
【請求項１５】
前記フレーム（２）が、４つのフレームセクション（９，１０，１１，１２）から形成されており、
各場合において、２つのフレームセクション（９，１０，１１，１２）が角部領域（１３，１４，１５，１６）において互いに接しており、
前記第１の側の面（１７）が、側面（２１，２２，２３，２４）および前記側面（２１，２２，２３，２４）の間の稜線部（２９，３０，３１，３２）を有する少なくとも前記部分的な角錐形状、を備えており、
前記フレーム（２）が備えている角部領域（１３，１４，１５，１６）の数と同じ数の前記稜線部（２９，３０，３１，３２）および側面が形成されており、
前記稜線部（２９，３０，３１，３２）それぞれが、前記フレーム（２）の角部領域（１３，１４，１５，１６）の方向に向いている、
請求項１〜１４のいずれか１項に記載のコンポーネント（１）。
【請求項１６】
前記レンズ（１８）が、前記オプトエレクトロニクス部品（４）の上面（３３）と前記部品空間（５）の上端部との間の距離の最大で１／３だけ前記部品空間（５）内に延びており、
前記レンズ（１８）が、特に、前記オプトエレクトロニクス部品（４）の上面（３３）と前記部品空間（５）の上端部との間の距離の１／３より大きく前記部品空間（５）内に延びており、
前記レンズ（１８）が、特に、前記オプトエレクトロニクス部品（４）の上面（３３）と前記部品空間（５）の上端部との間の距離の最大で１／２だけ前記部品空間（５）内に延びている、
請求項１〜１５のいずれか１項に記載のコンポーネント（１）。
【請求項１７】
前記レンズ（１８）が、前記オプトエレクトロニクス部品（４）の上面（３３）と前記部品空間（５）の上端部との間の距離の１／２より大きく前記部品空間（５）内に延びており、
前記レンズ（１８）が、前記オプトエレクトロニクス部品（４）の上面と前記部品空間（５）の上端部との間の距離の最大で３／４だけ前記部品空間（５）内に延びている、
請求項１〜１５のいずれか１項に記載のコンポーネント（１）。
【請求項１８】
前記レンズ（１８）の前記第１の側の面（１７）の前記部分的な角錐形状の底面（１９）が、前記フレーム（２）の前記開口部（６）の少なくとも５０％、特に、７０％以上、を覆っている、
請求項１〜１７のいずれか１項に記載のコンポーネント（１）。
【請求項１９】
前記レンズ（１８）が、第２の側の面（３４）を備えており、
前記第２の側の面（３４）が、前記第１の側の面（１７）の反対側に形成されており、
前記第２の側の面（３４）が、前記電磁放射を導くための導光構造を備えている、
請求項１〜１８のいずれか１項に記載のコンポーネント（１）。
【請求項２０】
キャリアと、
前記キャリア上に配置され、電磁放射を放出するオプトエレクトロニクス部品と、
前記オプトエレクトロニクス部品が配置されている部分空間を囲むように前記キャリア上に配置され、前記電磁放射を前記部分空間の開口部に向かって反射する反射器と、
前記電磁放射に対して透過性を有し、前記開口部を覆うように配置されたレンズと、
を備え、
前記レンズは、角錐形状の凸面を含み、前記角錐形状の凸面が前記オプトエレクトロニクス部品の方に面するように配置される、
コンポーネント。
【請求項２１】
少なくとも１個のオプトエレクトロニクス部品を有するコンポーネントを製造する方法であって、
前記オプトエレクトロニクス部品が、キャリアを有する電磁放射源として構成され、前記キャリアの上に配置され、
反射器を備えるフレームが、前記キャリアの上に、前記オプトエレクトロニクス部品が配置される部品空間を囲んで、配置され、
前記部品空間の開口部を少なくとも部分的に覆うレンズが、前記フレームの上に配置され、
前記反射器が、前記オプトエレクトロニクス部品の電磁放射を前記レンズに方向付けるように構成されており、
前記レンズが、前記オプトエレクトロニクス部品の前記電磁放射を方向付けるように構成されており、
前記レンズが、前記オプトエレクトロニクス部品の方に面する第１の側の面に、少なくとも部分的な角錐形状を有し、
前記レンズの前記部分的な角錐形状が、側面を備えており、
前記側面が、稜線部を介して互いに接する、
コンポーネントを製造する方法。
【請求項２２】
電磁放射を放出可能なオプトエレクトロニクス部品を有するコンポーネントの製造方法であって、
前記オプトエレクトロニクス部品をキャリア上に配置し、
前記オプトエレクトロニクス部品が配置されている部分空間を囲むように、前記電磁放射を前記部分空間の開口部に向かって反射することが可能な反射器を前記キャリア上に配置し、
前記開口部を覆い、レンズの角錐形状の凸面が前記オプトエレクトロニクス部品の方に面するように、前記電磁放射に対して透過性を有するレンズを配置する、
コンポーネントの製造方法。
【国際調査報告】
2019536262.tif 000020
2019536262.tif 000021
2019536262.tif 000022
2019536262.tif 000023
2019536262.tif 000024
2019536262.tif 000025